(57)【要約】【課題】測定対象物が有する自然放射能を考慮してバックグラウンド計数率を高精度に且つ迅速に求める。【解決手段】測定対象物が無い状態で放射線検出器によってバックグラウンド計数を実際に測定しバックグラウンド計数率の実測値を求める実測工程Ｓ３と、測定対象物の仮想三次元モデルと放射線検出器の仮想三次元モデルを実際の幾何学的位置関係と同じ位置関係で配置する仮想三次元モデルを作成し、測定対象物の自然放射能による放射線を擬似的に再現した仮想放射線を測定対象物の仮想三次元モデルから発生させて放射線検出器の仮想三次元モデルへの入射を計数してＮＲ計数率を求めるＮＲシミュレーション工程Ｓ８と、バックグラウンド計数率の実測値にＮＲ計数率を加えるＮＲ補正工程Ｓ９を有している。【選択図】図１
2005140566.tif 000002
【特許請求の範囲】
【請求項１】
測定対象物が無い状態で放射線検出器によってバックグラウンド計数を実際に測定しバックグラウンド計数率の実測値を求める実測工程と、前記測定対象物の仮想三次元モデルと前記放射線検出器の仮想三次元モデルを実際の幾何学的位置関係と同じ位置関係で配置する仮想三次元モデルを作成し、前記測定対象物の自然放射能による放射線を擬似的に再現した仮想放射線を前記測定対象物の仮想三次元モデルから発生させて前記放射線検出器の仮想三次元モデルへの入射を計数して自然放射線計数率を求める自然放射線シミュレーション工程と、前記バックグラウンド計数率の実測値に前記自然放射線計数率を加える自然放射線補正工程を有することを特徴とするバックグラウンド計数率の推定方法。
【請求項２】
前記測定対象物の有無によるバックグラウンド計数率の測定上の誤差を補正する測定誤差補正過程を有し、前記自然放射線補正工程では、前記測定誤差補正過程による測定上の誤差の補正後のバックグラウンド計数率に前記自然放射線計数率を加えることを特徴とする請求項１記載のバックグラウンド計数率の推定方法。
【請求項３】
前記測定誤差補正過程は、前記放射線検出器の仮想三次元モデルを作成し、この仮想三次元モデルにバックグラウンドとなる仮想放射線を発生させてバックグラウンド計数を擬似的に測定し擬似的なバックグラウンド計数率を求める第１のＢＧシミュレーション工程と、前記測定対象物の仮想三次元モデルと前記放射線検出器の仮想三次元モデルを実際の幾何学的位置関係と同じ位置関係で配置する仮想三次元モデルを作成し、この仮想三次元モデルにバックグラウンドとなる仮想放射線を発生させてバックグラウンド計数を擬似的に測定し擬似的なバックグラウンド計数率を求める第２のＢＧシミュレーション工程と、前記第１のＢＧシミュレーション工程で求めたバックグラウンド計数率と前記第２のＢＧシミュレーション工程で求めたバックグラウンド計数率に基づいてＢＧ補正係数を求めるＢＧ補正係数算出工程と、前記ＢＧ補正係数を用いて前記実測値を補正するＢＧ補正工程を備えることを特徴とする請求項２記載のバックグラウンド計数率の推定方法。
【請求項４】
前記実測工程では、前記バックグラウンド計数の測定を遮蔽体内で行い、前記第１のＢＧシミュレーション工程では、前記放射線検出器の仮想三次元モデルと前記遮蔽体の仮想三次元モデルを実際の幾何学的位置関係と同じ位置関係で配置する仮想三次元モデルを作成し、前記遮蔽体の仮想三次元モデルの内側からバックグラウンドとなる仮想放射線を発生させてバックグラウンド計数を擬似的に測定し擬似的なバックグラウンド計数率を求め、前記第２のＢＧシミュレーション工程では、前記測定対象物の仮想三次元モデルと前記放射線検出器の仮想三次元モデルと前記遮蔽体の仮想三次元モデルを実際の幾何学的位置関係と同じ位置関係で配置する仮想三次元モデルを作成し、前記遮蔽体の仮想三次元モデルの内側からバックグラウンドとなる仮想放射線を発生させてバックグラウンド計数を擬似的に測定し擬似的なバックグラウンド計数率を求めることを特徴とする請求項３記載のバックグラウンド計数率の推定方法。
【請求項５】
前記第１及び第２のＢＧシミュレーション工程では、モンテカルロ計算手法を利用してシミュレーションを行うことを特徴とする請求項３又は４記載のバックグラウンド計数率の推定方法。
【請求項６】
前記第１及び第２のＢＧシミュレーション工程で発生させる仮想放射線として複数のエネルギーの仮想γ線を組み合わせて使用することを特徴とする請求項３から５のいずれかに記載のバックグラウンド計数率の推定方法。
【請求項７】
測定場所の実際のバックグラウンドとなる放射線の遮蔽に対する減衰傾向を求める減衰傾向測定工程を有し、前記第１及び第２のＢＧシミュレーション工程では、前記求めた減衰傾向に合った減衰傾向となる組み合わせの仮想γ線を使用することを特徴とする請求項６記載のバックグラウンド計数率の推定方法。
【請求項８】
前記自然放射線シミュレーション工程では、モンテカルロ計算手法を利用してシミュレーションを行うことを特徴とする請求項１から７のいずれかに記載のバックグラウンド計数率の推定方法。
【請求項９】
前記自然放射線シミュレーション工程で発生させる仮想放射線として複数のエネルギーの仮想γ線を組み合わせて使用することを特徴とする請求項１から８のいずれかに記載のバックグラウンド計数率の推定方法。
【請求項１０】
前記測定対象物の仮想三次元モデルを作成する前に前記測定対象物の重量を計測する重量計測工程を有し、前記測定対象物の仮想三次元モデルを作成する場合、前記測定対象物を中実品として仮想三次元モデルを作成し、且つ当該仮想三次元モデルの密度として前記測定対象物が中実品であるとして作成した仮想三次元モデルの体積と前記重量計測工程で計測した重量とに基づいて算出した見掛け密度を用いることを特徴とする請求項１から９のいずれかに記載のバックグラウンド計数率の推定方法。
【請求項１１】
バックグラウンドとなる放射線を計数する放射線検出器と、前記測定対象物及び放射線検出器の表面の三次元的空間座標を取込みこれらの仮想三次元モデルを作成する三次元モデル化手段と、前記仮想三次元モデルを使用して前記測定対象物の自然放射能による放射線の発生をシミュレーションして前記放射線検出器の仮想三次元モデルへの入射を計数して自然放射線計数率を求める自然放射線シミュレーション手段と、前記放射線検出器によるバックグラウンド計数率の実測値を前記自然放射線計数率により補正する自然放射線補正手段を備えることを特徴とするバックグラウンド計数率の測定装置。
【請求項１２】
前記仮想三次元モデルを使用してバックグラウンドとなる放射線の発生をシミュレーションし前記放射線検出器の前に測定対象物が在る状態と無い状態のバックグラウンド計数率を擬似的に求めるＢＧシミュレーション手段と、シミュレーションして求めた測定対象物が在る状態と無い状態のバックグラウンド計数率からＢＧ補正係数を算出するＢＧ補正係数算出手段と、前記放射線検出器によるバックグラウンド計数率の実測値を前記ＢＧ補正係数により補正するＢＧ補正手段を備え、前記自然放射線補正手段は、前記ＢＧ補正係数によって補正したバックグラウンド計数率に前記自然放射線計数率を加えて補正することを特徴とする請求項１１記載のバックグラウンド計数率の測定装置。
【請求項１３】
前記測定対象物及び放射線検出器を収容する遮蔽体を備え、前記三次元モデル化手段は、前記測定対象物と前記放射線検出器と前記遮蔽体の表面の三次元的空間座標を取込みこれらの仮想三次元モデルを作成するものであり、前記ＢＧシミュレーション手段は、前記仮想三次元モデルを使用して前記遮蔽体の仮想三次元モデルの内側からバックグラウンドとなる放射線を発生させてシミュレーションし前記放射線検出器の前に測定対象物が在る状態と無い状態のバックグラウンド計数率を擬似的に求めるものであることを特徴とする請求項１２記載のバックグラウンド計数率の測定装置。
【請求項１４】
前記ＢＧシミュレーション手段は、バックグラウンドとなる放射線として複数のエネルギーの仮想γ線の組み合わせを使用することを特徴とする請求項１２又は１３記載のバックグラウンド計数率の測定装置。
【請求項１５】
前記自然放射線シミュレーション手段は、前記測定対象物の自然放射能による放射線として複数のエネルギーの仮想γ線の組み合わせを使用することを特徴とする請求項１１から１４のいずれかに記載のバックグラウンド計数率の測定装置。
【発明の詳細な説明】
【技術分野】
【０００１】
本発明は、バックグラウンド計数率の推定方法及びバックグラウンド計数率の測定装置に関する。更に詳述すると、例えばコンクリート等のように自然放射能を有する物質（測定対象物）中の人工放射能を高精度に定量する場合に必要となるバックグラウンド計数率の推定方法、及びこれを実施するバックグラウンド計数率の測定装置に関するものである。なお、自然放射線について適宜「ＮＲ」と記載する。
【背景技術】
【０００２】
放射能を正確に測定するためには、バックグラウンド（ＢＧ）となる放射線の影響を考慮する必要がある。このため、放射能を測定する場合には、放射線検出器の前に測定対象物を置いていない状態でバックグラウンド計数率を測定し、その後、放射線検出器の前に測定対象物を置いて放射能を測定し、放射能の測定値からバックグラウンド計数率を差し引いて放射能を評価する。
【０００３】
バックグラウンドとなる放射線は測定対象物によっても散乱、吸収されるため、放射線検出器の前に測定対象物を置いた状態と置いていない状態とでは放射線検出器に入射するバックグラウンド放射線の数が異なる。測定対象物の放射能測定は当然の事ながら放射線検出器の前に測定対象物を置いた状態で行われるので、特に低レベルの放射能を高精度に測定する必要がある場合等には、測定対象物を置いていない状態で計測したバックグラウンド計数率をそのまま使用することはできず、その値を補正して測定対象物を置いた状態のバックグラウンド計数率を推定する必要がある。
【０００４】
測定対象物に影響されるバックグラウンド計数率を高精度に且つ迅速に求める方法として、特開２００３−５７３４９号公報に開示されたバックグラウンド計数率の推定方法がある。この方法では、バックグラウンドとなる放射線と測定対象物の相互作用をコンピュータを使用して擬似的に再現することで、測定対象物の有無によるバックグラウンド計数率の変化の割合を求め、実測したバックグラウンド計数率を補正するようにしている。
【０００５】
即ち、放射線検出器の前に測定対象物がある状態と無い状態の仮想三次元モデルをそれぞれ作成し、それぞれの仮想三次元モデルについてバックグラウンドとなる仮想放射線を発生させてバックグラウンド計数率を求め、測定対象物の有無によるバックグラウンド計数率の変化の割合（補正係数）を求める。そして、この補正係数を用いて、測定対象物が無い状態で実際に測定したバックグラウンド計数率の実測値を補正することで、放射線検出器の前に測定対象物を置いた状態を考慮したバックグラウンド計数率を正確に求めることができる。
【０００６】
【特許文献１】特開２００３−５７３４９号
【発明の開示】
【発明が解決しようとする課題】
【０００７】
ところで、測定対象物が自然放射能を有している場合には、その自然放射能による放射線も、測定対象物の人工放射能を測定する際のバックグラウンドとなる。このため、測定対象物の自然放射能を考慮してバックグラウンド計数率を正確に求めたいとの要請がある。
【０００８】
本発明は、測定対象物が自然放射能を有している場合に、その自然放射能を考慮してバックグラウンド計数率を高精度に且つ迅速に求めることができるバックグラウンド計数率の推定方法及びバックグラウンド計数率の測定装置を提供することを目的とする。また、本発明は、測定対象物の自然放射能の考慮に加え、測定対象物による遮蔽の影響をも考慮してバックグラウンド計数率を高精度に且つ迅速に求めることができるバックグラウンド計数率の推定方法及びバックグラウンド計数率の測定装置を提供することを目的とする。
【課題を解決するための手段】
【０００９】
かかる目的を達成するために、請求項１記載のバックグラウンド計数率の推定方法は、測定対象物が無い状態で放射線検出器によってバックグラウンド計数を実際に測定しバックグラウンド計数率の実測値を求める実測工程と、測定対象物の仮想三次元モデルと放射線検出器の仮想三次元モデルを実際の幾何学的位置関係と同じ位置関係で配置する仮想三次元モデルを作成し、測定対象物の自然放射能による放射線を擬似的に再現した仮想放射線を測定対象物の仮想三次元モデルから発生させて放射線検出器の仮想三次元モデルへの入射を計数して自然放射線計数率を求める自然放射線シミュレーション工程と、バックグラウンド計数率の実測値に自然放射線計数率を加える自然放射線補正工程を有するものである。
【００１０】
放射線と物質の相互作用はある確率で発生するものであり、測定対象物の自然放射能による放射線と測定対象物や空気等との相互作用を擬似的に再現することで、測定対象物の自然放射能による放射線の計数率を求めることができる。即ち、実際に測定を行う状態を再現した仮想三次元モデルを作成し、測定対象物の自然放射能による仮想放射線を発生させる。再現された仮想放射線は実際の放射線に即した挙動を示し、仮想放射線の放射線検出器への入射数をカウントすることで、実際の放射線の計数率を求めることができる。この計数率が自然放射線計数率である。測定対象物の自然放射能による放射線は、測定対象物の人工放射能を測定する場合のバックグラウンドであり、実際に測定したバックグラウンド計数率の実測値に、求めた自然放射線計数率を加えることで、測定対象物の自然放射能を考慮したバックグラウンド計数率を正確に推定することができる。
【００１１】
また、請求項２記載のバックグラウンド計数率の推定方法は、測定対象物の有無によるバックグラウンド計数率の測定上の誤差を補正する測定誤差補正過程を有し、自然放射線補正工程では、測定誤差補正過程による測定上の誤差の補正後のバックグラウンド計数率に自然放射線計数率を加えるものである。
【００１２】
バックグラウンド放射線に対し、測定対象物は遮蔽体となる。このため、放射線検出器の前に測定対象物がある状態と無い状態とでは放射線検出器に入射するバックグラウンド放射線の数が変化し、測定上の誤差となる。測定対象物が無い状態で実際に測定したバックグラウンド計数率の実測値を、測定誤差補正過程を実行することで補正し、この補正後のバックグラウンド計数率に対して自然放射線計数率を加えることで、バックグラウンド計数率をより一層正確に推定することができる。
【００１３】
また、請求項３記載のバックグラウンド計数率の推定方法は、測定誤差補正過程は、放射線検出器の仮想三次元モデルを作成し、この仮想三次元モデルにバックグラウンドとなる仮想放射線を発生させてバックグラウンド計数を擬似的に測定し擬似的なバックグラウンド計数率を求める第１のＢＧシミュレーション工程と、測定対象物の仮想三次元モデルと放射線検出器の仮想三次元モデルを実際の幾何学的位置関係と同じ位置関係で配置する仮想三次元モデルを作成し、この仮想三次元モデルにバックグラウンドとなる仮想放射線を発生させてバックグラウンド計数を擬似的に測定し擬似的なバックグラウンド計数率を求める第２のＢＧシミュレーション工程と、第１のＢＧシミュレーション工程で求めたバックグラウンド計数率と第２のＢＧシミュレーション工程で求めたバックグラウンド計数率に基づいてＢＧ補正係数を求めるＢＧ補正係数算出工程と、ＢＧ補正係数を用いて実測値を補正するＢＧ補正工程を備えるものである。
【００１４】
バックグラウンドとなる放射線と測定対象物の相互作用を擬似的に再現することで、測定対象物の有無によるバックグラウンド計数率の変化を求めることができる。即ち、放射線検出器の前に測定対象物がある状態と無い状態の仮想三次元モデルをそれぞれ作成し、それぞれの仮想三次元モデルについてバックグラウンドとなる仮想放射線を発生させてバックグラウンド計数率を求めることで、測定対象物の有無によるバックグラウンド計数率の変化の割合を求めることができる。この変化の割合がＢＧ補正係数である。仮想三次元モデルは実際の放射線検出器、測定対象物、これらの配置関係に基づいて作成されており、実際の状態に即したシミュレーションを行ってＢＧ補正係数を得ることができる。そして、このＢＧ補正係数を用いて、測定対象物が無い状態で実際に測定したバックグラウンド計数率の実測値を補正することで、放射線検出器の前に測定対象物を置いた状態のバックグラウンド計数率を正確に推定することができる。
【００１５】
また、請求項４記載のバックグラウンド計数率の推定方法は、実測工程では、バックグラウンド計数の測定を遮蔽体内で行い、第１のＢＧシミュレーション工程では、放射線検出器の仮想三次元モデルと遮蔽体の仮想三次元モデルを実際の幾何学的位置関係と同じ位置関係で配置する仮想三次元モデルを作成し、遮蔽体の仮想三次元モデルの内側からバックグラウンドとなる仮想放射線を発生させてバックグラウンド計数を擬似的に測定し擬似的なバックグラウンド計数率を求め、第２のＢＧシミュレーション工程では、測定対象物の仮想三次元モデルと放射線検出器の仮想三次元モデルと遮蔽体の仮想三次元モデルを実際の幾何学的位置関係と同じ位置関係で配置する仮想三次元モデルを作成し、遮蔽体の仮想三次元モデルの内側からバックグラウンドとなる仮想放射線を発生させてバックグラウンド計数を擬似的に測定し擬似的なバックグラウンド計数率を求めるものである。
【００１６】
特に、測定対象物の放射能のレベルが低い場合などには、その放射能測定を高精度に行うためにはバックグラウンドの影響をできるだけ排除して測定を行う必要がある。そのため、測定対象物と放射線検出器を遮蔽体内に収容し、バックグラウンドとなる放射線をできるだけ減衰させた状態で放射能測定を行う。このとき、第１及び第２のＢＧシミュレーション工程においてバックグラウンドとなる仮想放射線が遮蔽体を透過する過程をもシミュレーションすると擬似的なバックグラウンド計数率を求めるまでに長時間を要することになる。しかしながら、第１及び第２のＢＧシミュレーション工程では仮想放射線を遮蔽体の仮想三次元モデルの内側から発生させて遮蔽体透過後のバックグラウンド放射線をシミュレーションするので、仮想放射線が遮蔽体を透過する過程のシミュレーションが不要になり、シミュレーションが短時間で終了する。
【００１７】
また、請求項５記載のバックグラウンド計数率の推定方法は、第１及び第２のＢＧシミュレーション工程では、モンテカルロ計算手法を利用してシミュレーションを行うものである。
【００１８】
モンテカルロ計算手法を利用することで、バックグラウンドとなる放射線の発生や消滅、測定対象物と放射線検出器の三次元的な形状や位置関係等を仮想的に再現し、バックグラウンドとなる放射線が放射線検出器に入射する様子や測定対象物によって散乱，吸収される様子をシミュレーションすることができる。シミュレーションによって求めたバックグラウンド計数率に基づいてＢＧ補正係数を求め、バックグラウンド計数率の実測値を補正する。
【００１９】
また、請求項６記載のバックグラウンド計数率の推定方法は、第１及び第２のＢＧシミュレーション工程で発生させる仮想放射線として複数のエネルギーの仮想γ線を組み合わせて使用するものである。
【００２０】
複数のエネルギーの仮想γ線の組み合わせを変えると、仮想γ線全体としての遮蔽に対する減衰傾向が変化するので、測定場所の実際のバックグラウンド放射線の遮蔽に対する減衰傾向をより忠実に再現し易くなる。
【００２１】
また、請求項７記載のバックグラウンド計数率の推定方法は、測定場所の実際のバックグラウンドとなる放射線の遮蔽に対する減衰傾向を求める減衰傾向測定工程を有し、第１及び第２のＢＧシミュレーション工程では、求めた減衰傾向に合った減衰傾向となる組み合わせの仮想γ線を使用するものである。
【００２２】
バックグラウンド放射線は測定場所毎に異なるので、バックグラウンド放射線の遮蔽に対する減衰傾向も測定場所毎に異なる。減衰傾向測定工程によってその場所の減衰傾向を求め、この減衰傾向に合う組み合わせの仮想γ線を使用することで、シミュレーションがより実際の状況に即したものとなる。
【００２３】
また、請求項８記載のバックグラウンド計数率の推定方法は、自然放射線シミュレーション工程では、モンテカルロ計算手法を利用してシミュレーションを行うものである。
【００２４】
モンテカルロ計算手法を利用することで、測定対象物の自然放射能による放射線の発生や消滅、測定対象物と放射線検出器の三次元的な形状や位置関係等を仮想的に再現し、測定対象物の自然放射能による放射線が放射線検出器に入射する様子や測定対象物や空気などによって散乱，吸収される様子をシミュレーションすることができる。シミュレーションによって求めた自然放射線計数率を使用してバックグラウンド計数率を補正する。
【００２５】
また、請求項９記載のバックグラウンド計数率の推定方法は、自然放射線シミュレーション工程で発生させる仮想放射線として複数のエネルギーの仮想γ線を組み合わせて使用するものである。
【００２６】
測定対象物の自然放射能は様々であり、発生する放射線のエネルギーや発生確率等も様々である。このため、シミュレーションにおいて、自然放射能による放射線を単一エネルギーの仮想γ線で再現し易い場合もあれば、再現し難い場合もある。複数のエネルギーの仮想γ線を使用することで再現の幅が広がるので、単一エネルギーの仮想γ線では再現し難い場合であっても再現が容易になり、実際の状況に即したシミュレーションを行い易くなる。
【００２７】
また、請求項１０記載のバックグラウンド計数率の推定方法は、測定対象物の仮想三次元モデルを作成する前に測定対象物の重量を計測する重量計測工程を有し、測定対象物の仮想三次元モデルを作成する場合、測定対象物を中実品として仮想三次元モデルを作成し、且つ当該仮想三次元モデルの密度として測定対象物が中実品であるとして作成した仮想三次元モデルの体積と重量計測工程で計測した重量とに基づいて算出した見掛け密度を用いるものである。
【００２８】
測定対象物の仮想三次元モデルを作成するには測定対象物の三次元形状を測定してデータ化する必要がある。その場合、測定対象物の外形形状のみの測定であれば比較的容易に行うことができる。例えば、パイプ形状の測定対象物については、外周面の形状測定は比較的容易であるのに対し、内周面の形状測定は比較的煩雑になる。かかる場合、測定対象物の外形形状のみを測定して仮想三次元モデルを作成することが実用的である。ただし、この場合には内側に空間がある中空品であっても内側に空間がない中実品としてモデル化されることになる。この場合、中空品をその内側の空間が全体にわたって均一に分散している中実品として考えれば良い。即ち、放射線の吸収、散乱に対しては、中空品の測定対象物を密度の小さい中実品の測定対象物として取り扱うことが可能である。
【００２９】
この様な考え方に基づいて測定対象物の仮想三次元モデルを作成する場合、形状については外形形状のみをモデル化する。そして、作成した測定対象物の仮想三次元モデルの体積を求め、この体積と実際の測定対象物の重量から見掛け密度を算出し、測定対象物の仮想三次元モデルの密度として見掛け密度を使用する。これにより、測定対象物が中空品であっても中実品として取り扱うことができる。
【００３０】
さらに、請求項１１記載のバックグラウンド計数率の測定装置は、バックグラウンドとなる放射線を計数する放射線検出器と、測定対象物及び放射線検出器の表面の三次元的空間座標を取込みこれらの仮想三次元モデルを作成する三次元モデル化手段と、仮想三次元モデルを使用して測定対象物の自然放射能による放射線の発生をシミュレーションして放射線検出器の仮想三次元モデルへの入射を計数して自然放射線計数率を求める自然放射線シミュレーション手段と、放射線検出器によるバックグラウンド計数率の実測値を自然放射線計数率により補正する自然放射線補正手段を備えるものである。
【００３１】
したがって、三次元モデル化手段によって擬似的に再現された仮想三次元モデルを利用して、測定対象物の自然放射能による放射線を自然放射線シミュレーション手段がシミュレーションし、放射線検出器への入射をカウントして計数率を求める。この計数率が自然放射線計数率である。一方、実際の放射線検出器を使用して測定対象物が無い状態でバックグラウンド計数率を実測しておく。このバックグラウンド計数率の実測値を、自然放射線補正手段が自然放射線計数率を使用して補正する。
【００３２】
また、請求項１２記載のバックグラウンド計数率の測定装置は、仮想三次元モデルを使用してバックグラウンドとなる放射線の発生をシミュレーションし放射線検出器の前に測定対象物が在る状態と無い状態のバックグラウンド計数率を擬似的に求めるＢＧシミュレーション手段と、シミュレーションして求めた測定対象物が在る状態と無い状態のバックグラウンド計数率からＢＧ補正係数を算出するＢＧ補正係数算出手段と、放射線検出器によるバックグラウンド計数率の実測値をＢＧ補正係数により補正するＢＧ補正手段を備え、自然放射線補正手段は、ＢＧ補正係数によって補正したバックグラウンド計数率に自然放射線計数率を加えて補正するものである。
【００３３】
したがって、三次元モデル化手段によって擬似的に再現された仮想三次元モデルを利用して、ＢＧシミュレーション手段がバックグラウンド放射線の発生をシミュレーションして放射線検出器の前に測定対象物が無い状態と有る状態のバックグラウンド計数率をそれぞれ求める。そして、シミュレーション手段が求めた２つのバックグラウンド計数率に基づいてＢＧ補正係数算出手段がＢＧ補正係数を算出する。この様にして求めたＢＧ補正係数を使用してＢＧ補正手段がバックグラウンド計数率の実測値を補正し、この補正後のバックグラウンド計数率を、自然放射線補正手段が自然放射線計数率を使用して更に補正する。
【００３４】
また、請求項１３記載のバックグラウンド計数率の測定装置は、測定対象物及び放射線検出器を収容する遮蔽体を備え、三次元モデル化手段は、測定対象物と放射線検出器と遮蔽体の表面の三次元的空間座標を取込みこれらの仮想三次元モデルを作成するものであり、ＢＧシミュレーション手段は、仮想三次元モデルを使用して遮蔽体の仮想三次元モデルの内側からバックグラウンドとなる放射線を発生させてシミュレーションし放射線検出器の前に測定対象物が在る状態と無い状態のバックグラウンド計数率を擬似的に求めるものである。
【００３５】
したがって、三次元モデル化手段によって擬似的に再現された放射線検出器及びこれを収容する遮蔽体の仮想三次元モデルと、放射線検出器の前に測定対象物を配置しこれらを遮蔽体内に収容した仮想三次元モデルを利用して、ＢＧシミュレーション手段がバックグラウンド放射線の発生をシミュレーションして放射線検出器の前に測定対象物が無い状態と有る状態のバックグラウンド計数率をそれぞれ求める。そして、ＢＧシミュレーション手段が求めた２つのバックグラウンド計数率に基づいて、ＢＧ補正係数算出手段がＢＧ補正係数を算出する。この様にして求めたＢＧ補正係数を使用してＢＧ補正手段がバックグラウンド計数率の実測値を補正する。ＢＧシミュレーション手段は遮蔽体透過後のバックグラウンド放射線をシミュレーションするので、バックグラウンド放射線が遮蔽体を透過する過程のシミュレーションが不要になり、シミュレーションが短時間で終了する。
【００３６】
また、請求項１４記載のバックグラウンド計数率の測定装置は、ＢＧシミュレーション手段は、バックグラウンドとなる放射線として複数のエネルギーの仮想γ線の組み合わせを使用するものである。
【００３７】
複数のエネルギーの仮想γ線の組み合わせを変えると、仮想γ線全体としての遮蔽に対する減衰傾向が変化するので、測定場所の実際のバックグラウンド放射線の遮蔽に対する減衰傾向をより忠実に再現し易くなる。
【００３８】
また、請求項１５記載のバックグラウンド計数率の測定装置は、自然放射線シミュレーション手段は、測定対象物の自然放射能による放射線として複数のエネルギーの仮想γ線の組み合わせを使用するものである。
【００３９】
複数のエネルギーの仮想γ線を使用することで、測定対象物の自然放射能による放射線の再現の幅が広がるので、単一エネルギーの仮想γ線では再現し難い場合であっても再現が容易になり、より実際の状況に即したシミュレーションを行い易くなる。
【発明の効果】
【００４０】
しかして、請求項１記載のバックグラウンド計数率の推定方法では、上述のようにしてバックグラウンド計数率を求めるので、測定対象物が自然放射能を有している場合であっても、その自然放射能を考慮して精度良くバックグラウンド計数率を求めることができる。しかも、実際の状況に即したモデル化によって再現を行うことで自然放射線計数率を求めているので、簡単且つ迅速にバックグラウンド計数率を求めることができる。そして、測定対象物の形状等に制限されずに再現を行うことができるので、様々な形状や大きさの測定対象物について多量に放射能測定を行う場合等のためにバックグラウンド計数率を求めるのに特に適している。
【００４１】
また、請求項２記載のバックグラウンド計数率の推定方法では、上述のようにしてバックグラウンド計数率を求めるので、測定対象物の自然放射能の考慮に加え、測定対象物の有無がバックグラウンドに与える影響をも考慮してバックグラウンド計数率を求めることができ、バックグラウンド計数率をより一層高精度に求めることができる。
【００４２】
また、請求項３記載のバックグラウンド計数率の推定方法では、上述のようにしてバックグラウンド計数率を求めるので、測定対象物の有無がバックグラウンドに与える影響を考慮する場合、実際の状況に即して考慮することができる。このため、バックグラウンド計数率をより一層高精度に求めることができる。
【００４３】
また、請求項４記載のバックグラウンド計数率の推定方法では、上述のようにしてバックグラウンド計数率を求めるので、仮想放射線が遮蔽体を透過する過程をシミュレーションする必要がなく、擬似的なバックグラウンド計数率を短時間で求めることができ、処理の高速化を図ることができる。
【００４４】
また、請求項５記載のバックグラウンド計数率の推定方法では、上述のようにしてバックグラウンド計数率を求めるので、擬似的なバックグラウンド計数率を簡単且つ迅速にに求めることができる。
【００４５】
また、請求項６記載のバックグラウンド計数率の推定方法では、上述のようにしてバックグラウンド計数率を求めるので、測定場所の実際のバックグラウンドとなる放射線の遮蔽に対する減衰傾向を忠実に再現することが容易である。
【００４６】
また、請求項７記載のバックグラウンド計数率の推定方法では、上述のようにしてバックグラウンド計数率を求めるので、シミュレーションをより実際の状況に即したものにすることができる。
【００４７】
また、請求項８記載のバックグラウンド計数率の推定方法では、上述のようにしてバックグラウンド計数率を求めるので、自然放射線計数率を簡単且つ迅速に求めることができる。
【００４８】
また、請求項９記載のバックグラウンド計数率の推定方法では、上述のようにしてバックグラウンド計数率を求めるので、シミュレーションを実際の状況に即したものにより一層し易くなる。
【００４９】
また、請求項１０記載のバックグラウンド計数率の推定方法では、上述のようにしてバックグラウンド計数率を求めるので、たとえ測定対象物が中空品であっても中実品として仮想三次元モデルを作成することができる。このため、測定対象物の仮想三次元モデルを簡単且つ迅速に作成することができる。
【００５０】
さらに、請求項１１記載のバックグラウンド計数率の測定装置では、上述のように構成されているので、測定対象物が自然放射能を有している場合のバックグラウンド計数率を簡単且つ迅速に、そして精度良く求めることができる。そして、測定対象物の形状等に制限されずにシミュレーションすることができるので、様々な形状や大きさの測定対象物について多量に放射能測定を行う場合等のためにバックグラウンド計数率を求めるのに特に適している。
【００５１】
また、請求項１２記載のバックグラウンド計数率の測定装置では、上述のように構成されているので、測定対象物の自然放射能の考慮に加え、測定対象物の有無がバックグラウンドに与える影響をも考慮して放射線検出器の前に測定対象物を置いた場合のバックグラウンド計数率を簡単且つ迅速に、そして精度良く求めることができる。
【００５２】
また、請求項１３記載のバックグラウンド計数率の測定装置では、上述のように構成されているので、仮想放射線が遮蔽体を透過する過程をシミュレーションする必要がなく、擬似的なバックグラウンド計数率を短時間で求めることができ、処理の高速化を図ることができる。
【００５３】
また、請求項１４記載のバックグラウンド計数率の測定装置では、上述のように構成されているので、測定場所の実際のバックグラウンドとなる放射線の遮蔽に対する減衰傾向を忠実に再現することが容易である。
【００５４】
また、請求項１５記載のバックグラウンド計数率の測定装置では、上述のように構成されているので、実際の状況に即したシミュレーションがより一層容易になる。
【発明を実施するための最良の形態】
【００５５】
以下、本発明の構成を図面に示す最良の形態に基づいて詳細に説明する。
【００５６】
図１に本発明のバックグラウンド計数率の推定方法の実施形態の一例を、図２に当該推定方法を実施するバックグラウンド計数率の測定装置の実施形態の一例を示す。また、図３及び図４に、放射線検出器と測定対象物と遮蔽体の配置を示す。
【００５７】
バックグラウンド計数率の測定装置（以下、単に測定装置という）は、測定対象物１１から放出される放射線及びバックグラウンドとなる放射線を計数する放射線検出器１２と、測定対象物１１及び放射線検出器１２を収容する遮蔽体１６と、測定対象物１１と放射線検出器１２と遮蔽体１６の表面の三次元的空間座標を取込みこれらの仮想三次元モデル１３，１４，１８を作成する三次元モデル化手段２０と、測定対象物１１の仮想三次元モデル１３と放射線検出器１２の仮想三次元モデル１４を使用して遮蔽体１６内のバックグラウンド（ＢＧ）となる放射線の発生をシミュレーションし測定対象物１１が在る状態（図３）と無い状態（図４）のバックグラウンド計数率を擬似的に求めるＢＧシミュレーション手段２１と、シミュレーションして求めた測定対象物１１が在る状態と無い状態のバックグラウンド計数率からＢＧ補正係数を算出するＢＧ補正係数算出手段２２と、放射線検出器１２によるバックグラウンド計数率の実測値をＢＧ補正係数により補正するＢＧ補正手段２３と、仮想三次元モデル１３，１４を使用して測定対象物１１の自然放射能による放射線の発生をシミュレーションして放射線検出器１２の仮想三次元モデル１４への入射を計数して自然放射線計数率（以下、ＮＲ計数率という）αを求める自然放射線シミュレーション手段（以下、ＮＲシミュレーション手段という）３４と、ＢＧ補正係数によって補正したバックグラウンド計数率にＮＲ計数率αを加えて補正する自然放射線補正手段（以下、ＮＲ補正手段という）３５を備え、ＢＧシミュレーション手段２１は、遮蔽体１６の仮想三次元モデル１８の内側からバックグラウンドとなる放射線を発生させるものである。
【００５８】
なお、本実施形態では、少なくとも１つのＣＰＵやＭＰＵなどの中央演算装置２４と、データの入出力を行うインターフェース２５と、プログラムやデータを記憶するメモリ２６を備えるコンピュータ２７と所定の制御ないし演算プログラムによって、三次元モデル化手段２０、ＢＧシミュレーション手段２１、ＢＧ補正係数算出手段２２、ＢＧ補正手段２３、ＮＲシミュレーション手段３４、ＮＲ補正手段３５を実現している。即ち、中央演算装置２４は、メモリ２６に記憶されたＯＳ等の制御プログラム、バックグラウンド計数率の推定方法などの手順を規定したプログラム及び所要データ等により、上記三次元モデル化手段２０、ＢＧシミュレーション手段２１、ＢＧ補正係数算出手段２２、ＢＧ補正手段２３、ＮＲシミュレーション手段３４、ＮＲ補正手段３５を実現している。また、コンピュータ２７には、例えばディスプレイやプリンター等の出力装置２８が接続されている。
【００５９】
測定対象物１１は自然放射能を有しており、本実施形態では例えば原子炉の廃止措置で発生するコンクリート等の廃棄物である。コンクリート内には、一般的に、カリウム４０や、ウラン系列に属する放射性核種、トリウム系列に属する放射性核種などの天然の放射性核種が多く含まれている。例えば、原子炉廃止措置で発生するコンクリート廃棄物のようなクリアランスレベルに属する廃棄物であって自然放射能を有するものを測定対象物１１とする場合、測定対象物１１の自然放射能による放射線が、測定対象物１１の人工放射能汚染の放射能を測定するときのバックグラウンドとなる。本発明は、このようなときのバックグラウンドを求めるものである。ただし、測定対象物１１はコンクリート製のものに限るものではなく、自然放射能を含むものであれば良い。また、例えば土壌等を測定対象物１１としても良い。
【００６０】
放射線検出器１２としては、例えばγ線を計測するプラスチックシンチレーション検出器が使用可能である。例えば、４０ｃｍ（奥行き）×４０ｃｍ（幅）×５ｃｍ（厚さ）の大きさのプラスチックシンチレーション検出器を４台一組にして使用する。つまり、図３，図４に示すように、４台のプラスチックシンチレーション検出器をそれらの側面を密着させて一組の放射線検出器１２としている。放射線検出器１２は遮蔽体１６内に収容されている。本実施形態では、放射線検出器１２の組を遮蔽体１６内の床と天井にそれぞれ配置し、より多くの放射線をカウントできるようにして検出効率を向上させ、より低レベルの放射能の検出を可能にしている。なお、床に配置した放射線検出器１２は、例えば、測定対象物１１の下方約２ｃｍ離れた位置に水平に配置されることになる。
【００６１】
遮蔽体１６はバックグラウンド放射線を遮蔽する覆いであり、例えば鉛製の箱である。遮蔽体１６の外から入射する放射線は大部分が遮蔽体１６によって遮蔽されるが、一部の放射線は遮蔽体１６を透過して放射能測定のバックグラウンドとなる。遮蔽体１６には図示しない扉が設けられており、この扉を開閉して測定対象物１１等の出し入れを行う。放射線検出器１２による計数データはインターフェース２５を介してコンピュータ２７に入力される。尚、図３及び図４等では遮蔽体１６の一部を切り欠いて示している。
【００６２】
また、この測定装置は、測定対象物１１等の表面形状を測定し三次元的空間座標として取込む三次元形状計測装置２９を備えている。三次元形状計測装置２９としては、例えば測定対象物１１の表面の空間座標を点群データとして検出し三次元形状を計測するものが本実施形態では使われている。この三次元形状計測装置２９は、非接触式の三次元レーザースキャナで、レーザー光を測定対象物１１に当てて表面を走査させると共にその散乱光を集光レンズによりＣＣＤへ結像させ、ＣＣＤ結像位置をカウンター値として入力し、三角測量の原理にて距離データに変換するものである。レーザー投光部と受光部の光軸をガルバノミラーで高速に走査することにより、多ポイントの点群データを得ることができる。この三次元形状計測装置２９は、例えば８０ｃｍ（奥行き）×８０ｃｍ（幅）×４０ｃｍ（厚さ）の範囲を±１ｃｍ以内の誤差で計測できる非接触レーザースキャン技術を採用している。この三次元形状計測装置２９によって測定された測定対象物１１の三次元座標は、コンピュータ２７にインターフェース２５を介して入力される。具体的には、例えば、パルステック工業株式会社製「三次元スキャナーＴＤＳ３１００」を用いて測定対象物１１の表面の空間座標を高速に検出し三次元的空間座標データとして得ることができる。
【００６３】
また、この測定装置は、測定対象物１１の重量を測定する計量器３１を備えている。本実施形態では、計量器３１として、例えば約２００ｋｇまでの重量を計測できるロードセルを採用している。この計量器３１による測定結果はインターフェース２５を介してコンピュータ２７の三次元モデル化手段２０に入力される。
【００６４】
次に、バックグラウンド計数率の推定方法（以下、単に推定方法という）について説明する。この推定方法は、遮蔽体１６内に配置された放射線検出器１２によって測定対象物１１が無い状態でバックグラウンド計数を実際に測定しバックグラウンド計数率の実測値Ｘ０を求める実測工程Ｓ３と、放射線検出器１２の仮想三次元モデル１４と遮蔽体１６の仮想三次元モデル１８を実際の幾何学的位置関係と同じ位置関係で配置する仮想三次元モデル３２を作成し（図４（Ｂ））、この仮想三次元モデル３２に遮蔽体１６内のバックグラウンドとなる仮想放射線を発生させてバックグラウンド計数を擬似的に測定し擬似的なバックグラウンド計数率Ｘ１を求める第１のＢＧシミュレーション工程Ｓ４と、測定対象物１１の仮想三次元モデル１３と放射線検出器１２の仮想三次元モデル１４と遮蔽体１６の仮想三次元モデル１８を実際の幾何学的位置関係と同じ位置関係で配置する仮想三次元モデル３０を作成し（図３（Ｂ））、この仮想三次元モデル３０に遮蔽体１６内のバックグラウンドとなる仮想放射線を発生させてバックグラウンド計数を擬似的に測定し擬似的なバックグラウンド計数率Ｘ２を求める第２のＢＧシミュレーション工程Ｓ５と、第１のＢＧシミュレーション工程Ｓ４で求めたバックグラウンド計数率Ｘ１と第２のＢＧシミュレーション工程Ｓ５で求めたバックグラウンド計数率Ｘ２に基づいてＢＧ補正係数を求めるＢＧ補正係数算出工程Ｓ６と、ＢＧ補正係数を用いて実測値Ｘ０を補正するＢＧ補正工程Ｓ７と、測定対象物１１の仮想三次元モデル１３と放射線検出器１２の仮想三次元モデル１４を実際の幾何学的位置関係と同じ位置関係で配置する仮想三次元モデル３０を作成し、測定対象物１１の自然放射能による放射線を擬似的に再現した仮想放射線を測定対象物１１の仮想三次元モデルから発生させて放射線検出器１２の仮想三次元モデル１４への入射を計数してＮＲ計数率αを求める自然放射線シミュレーション工程（以下、ＮＲシミュレーション工程という）Ｓ８と、測定対象物の有無によるバックグラウンド計数率の測定上の誤差を補正する測定誤差補正過程Ａによる誤差補正後のバックグラウンド計数率Ｘ３にＮＲ計数率αを加える自然放射線補正工程（以下、ＮＲ補正工程という）Ｓ９を有し、第１及び第２のＢＧシミュレーション工程Ｓ４，Ｓ５では、仮想放射線を遮蔽体１６の仮想三次元モデル１８の内側から発生させるものである。なお、第１のＢＧシミュレーション工程Ｓ４、第２のＢＧシミュレーション工程Ｓ５、ＢＧ補正係数算出工程Ｓ６、ＢＧ補正工程Ｓ７によって測定誤差補正過程Ａが構成されている。
【００６５】
本実施形態では、第１及び第２のＢＧシミュレーション工程Ｓ４，Ｓ５とＮＲシミュレーション工程Ｓ８では、モンテカルロ計算手法を利用してシミュレーションを行うようにしている。また、測定対象物１１の仮想三次元モデル１３を作成する前に、測定対象物１１の重量を計測する重量計測工程Ｓ２を実施し、測定対象物１１の仮想三次元モデル１３を作成する場合、測定対象物１１を中実品として仮想三次元モデル１３を作成し、且つ当該仮想三次元モデル１３の密度として測定対象物１１が中実品であるとして作成した仮想三次元モデル１３の体積と重量計測工程Ｓ２で計測した重量とに基づいて算出した見掛け密度を用いるようにしている。
【００６６】
また、本実施形態では、測定場所の実際のバックグラウンドとなる放射線の遮蔽に対する減衰傾向を求める減衰傾向測定工程Ｓ１を有しており、第１及び第２のＢＧシミュレーション工程Ｓ４，Ｓ５では、求めた減衰傾向に合った減衰傾向となる組み合わせの仮想γ線を使用するようにしている。
【００６７】
より詳細に説明する。減衰傾向測定工程Ｓ１では、例えば測定場所に設置した放射線検出器１２を使用してバックグラウンド放射線の遮蔽体１６に対する減衰傾向を求める。即ち、例えば図５（Ａ）に示すように、放射能測定を行う場所に設置した遮蔽体１６内に測定対象物１１の代わりに金属板１７を配置し、その厚さを変えながらバックグラウンド計数率を測定する。また、金属板１７を配置していない状態のバックグラウンド計数率も測定する。そして、測定値に基づいてバックグラウンド計数率の低減割合を計算する。低減割合は数式１によって求めることができる。
【００６８】
［数１］
低減割合＝金属板１７を配置した状態で測定したバックグラウンド計数率÷金属板１７を配置していない状態で測定したバックグラウンド計数率
【００６９】
求めた低減割合の一例を図６に示す。図６中、●印で示す値が測定値に基づいて求めた低減割合である。なお、金属板の厚さ０ｃｍは金属板１７を配置していない場合である。配置する金属板１７の厚さの増加に応じてバックグラウンド計数率の低減割合は減少する。この遮蔽（本実施例では金属板１７）の厚みとバックグラウンド計数率の低減割合との変化の関係がバックグラウンド放射線の遮蔽に対する減衰傾向（以下、単に減衰傾向という）である。測定場所毎にバックグラウンド放射線の減衰傾向は異なる。後述する第１及び第２のシミュレーション工程Ｓ３，Ｓ４では、この減衰傾向に基づいて使用する仮想放射線のエネルギーとその組み合わせを決定する。
【００７０】
次の重量計測工程Ｓ２では、例えば計量器３１を使用して測定対象物１１の重量Ｗを測定する。
【００７１】
実測工程Ｓ３では、放射線検出器１２を使用して測定対象物１１が無い状態のバックグラウンド計数を測定し、バックグラウンド計数率の実測値Ｘ０を求める。なお、減衰傾向測定工程Ｓ１において、既に金属板１７が無い状態のバックグラウンド計数率を測定しているので、この測定値を実測値Ｘ０として使用し、改めて実測工程Ｓ３を実施することを省略しても良い。即ち、減衰傾向測定工程Ｓ１と実測工程Ｓ３を一緒に行っても良い。
【００７２】
次の第１のＢＧシミュレーション工程Ｓ４と第２のＢＧシミュレーション工程Ｓ５では、バックグラウンドとなる放射線が放射線検出器１２に計数される現象を、コンピュータ上で実施される三次元モンテカルロ計算手法を利用してシミュレーションすることで、擬似的にバックグラウンド計数率を求めている。
【００７３】
そのため、先ず第１のＢＧシミュレーション工程Ｓ４では、放射線検出器１２を三次元モンテカルロ計算コードに適したフォーマットで表現するいわゆる三次元モデル化を行っている。即ち、第１のＢＧシミュレーション工程Ｓ４では、先ず三次元形状計測装置２９によって放射線検出器１２の三次元的な形状を計測し、この三次元座標データを三次元モデル化手段２０に入力し、例えば図４（Ｂ）に概念的に示すように放射線検出器１２の仮想三次元モデル１４を仮想三次元空間に仮想的に再現する。また、本実施形態では、放射線検出器１２の周囲を遮蔽体１６で覆っているので、遮蔽体１６についても三次元的な形状を三次元形状計測装置２９によって計測し、これらの三次元座標データを三次元モデル化手段２０に入力し、遮蔽体１６の仮想三次元モデル１８を放射線検出器１２の仮想三次元モデル１４が再現されている仮想三次元空間に実際の放射線検出器１２と同じ位置関係で配置する。
【００７４】
そして、放射線検出器１２と遮蔽体１６の仮想三次元モデル１４，１８を三次元モンテカルロ計算コードのフォーマットで表現し、入力ファイルを作成する（三次元モデル化）。この入力ファイルには、少なくとも放射線検出器１２の形態、遮蔽体１６の形態、その他の空間の媒質の形態についてのデータが記録される。放射線検出器１２の形態としては、例えば三次元形状、組成、密度等である。遮蔽体１６の形態としては、例えば三次元形状、組成、密度等である。その他の空間の媒質の形態としては、例えば真空か空気が存在するか等である。
【００７５】
なお、繰り返し測定を行う場合、測定対象物１１が毎回変わっても、放射線検出器１２と遮蔽体１６の三次元形状に関するデータは変わらないため、三次元形状計測装置２９による放射線検出器１２と遮蔽体１６の計測を毎回行う必要はなく、先にあるいは予め入力されている三次元データを利用して毎回計測し入力する手間を省くことができる。この場合、三次元形状のデータ取得及び入力の時間を短縮できる。
【００７６】
次に、三次元モンテカルロ計算手法を利用して、遮蔽体１６の仮想三次元モデル１８の内側例えば内面からバックグラウンドとなる放射線を仮想的に発生させ、発生させた放射線のうち放射線検出器１２の仮想三次元モデル１４に入射したものをカウントして計数を求める。
【００７７】
仮想的に発生させる放射線は、放射線検出器１２の設置場所のバックグラウンド放射線が遮蔽体１６を透過した後の状態を模擬して発生させる。バックグラウンドとなる放射線の主なものは透過性の強いγ線である。したがって、仮想放射線として例えばγ線を発生させる。また、仮想放射線として複数のエネルギーの仮想γ線を組み合わせて使用する。複数のエネルギーの仮想γ線を組み合わせて使用することで、減衰傾向測定工程Ｓ１で求めた減衰傾向をより忠実に再現することができる。本実施形態では、仮想γ線として２種類のエネルギーのγ線、例えば０．３ＭｅＶのγ線と１．５ＭｅＶのγ線を１：１の割合で発生させる。
【００７８】
なお、測定場所が同じであればバックグラウンド放射線とその減衰傾向は同じであると考えられるので、毎回のシミュレーションでは仮想放射線として同じものを使用する。この場合、測定毎にバックグラウンド放射線の減衰傾向を求め直す手間と時間を省くことができる。
【００７９】
遮蔽体１６の仮想三次元モデル１８の内面から発生させた仮想放射線は、放射線検出器１２や測定対象物１１の周囲の空間等を進む際、散乱されたり吸収されたり、あるいは二次的な放射線を発生させたりする。このような放射線と物質の相互作用はある確率で発生するものであり、この現象を近似して数学的なモデルで表すことができる。三次元モンテカルロ計算コードを使用することで、コンピュータを利用してバックグラウンドとなる放射線の発生と挙動をシミュレーションすることができる。したがって、バックグラウンドとなる放射線が放射線検出器１２にどれだけ入射するか、即ち、放射線検出器１２の仮想三次元モデル１４による計数を擬似的に求めることができる。そして、この計数値からバックグラウンド計数率Ｘ１を求める。
【００８０】
なお、三次元モンテカルロ計算コードとしては、例えば米国ロスアラモス国立研究所で開発された公開コードであるＭＣＮＰコードの使用が可能である。
【００８１】
この様に第１のＢＧシミュレーション工程Ｓ４では放射線検出器１２の前に測定対象物１１を置いていない状態をシミュレーションする。これに対し、第２のＢＧシミュレーション工程Ｓ５では、放射線検出器１２の前に測定対象物１１を置いた状態をシミュレーションする。つまり、第１のＢＧシミュレーション工程Ｓ４では、図４（Ｂ）に示すように、放射線検出器１２の仮想三次元モデル１４の前に測定対象物１１の仮想三次元モデル１３を配置していない仮想三次元モデル３２を使用してシミュレーションを行っていたが、第２のＢＧシミュレーション工程Ｓ５では、図３（Ｂ）に示すように、放射線検出器１２の仮想三次元モデル１４の前に測定対象物１１の仮想三次元モデル１３を配置した仮想三次元モデル３０を使用してシミュレーションを行う。なお、第１のＢＧシミュレーション工程Ｓ４と同一の処理についての詳しい説明は省略する。
【００８２】
第２のＢＧシミュレーション工程Ｓ５では、放射線検出器１２と遮蔽体１６と測定対象物１１を三次元モンテカルロ計算コードに適したフォーマットで表現するいわゆる三次元モデル化を行っている。即ち、第２のＢＧシミュレーション工程Ｓ５では、三次元形状計測装置２９によって測定対象物１１の三次元的な形状を計測し、この三次元座標データを三次元モデル化手段２０に入力し、例えば図３（Ｂ）に概念的に示すように測定対象物１１の仮想三次元モデル１３を仮想三次元空間に仮想的に再現する。
【００８３】
このとき、実際の測定対象物１１と放射線検出器１２と遮蔽体１６の幾何学的な位置関係と同じ位置関係で測定対象物１１の仮想三次元モデル１３を作成する。また、たとえ測定対象物１１がパイプ等の中空品であっても、その内側や内部に空間が無い中実品として仮想三次元モデル１３を作成する。即ち、三次元形状計測装置２９は測定対象物１１の表面形状を測定し三次元的空間座標として取込むものであるため、測定対象物１１の内周面や内部空間等の形状に関するデータを取り込んでいない。このため、三次元モデル化手段２０は作成した測定対象物１１の仮想三次元モデル１３の体積Ｖを計算すると共に、この体積Ｖと重量計測工程Ｓ２で測定した重量Ｗとで見掛け密度（Ｗ／Ｖ）を計算し、測定対象物１１の仮想三次元モデル１３の密度として見掛け密度（Ｗ／Ｖ）を使用する。測定対象物１１の仮想三次元モデル１３の密度として見掛け密度（Ｗ／Ｖ）を使用することで、中空品を中実品として取り扱うことが可能になる。なお、放射線検出器１２，遮蔽体１６についてのデータは、第１のＢＧシミュレーション工程Ｓ４で使用したデータを使用する。また、発生させる仮想γ線も第１のＢＧシミュレーション工程Ｓ４で使用した仮想γ線と同じ組み合わせの仮想γ線を使用する。
【００８４】
なお、本実施形態では、三次元形状計測装置２９によって測定対象物１１を上方から形状計測するので、上方からみた測定対象物１１の形状において輪郭になる部分（以下、輪郭部分という）よりも下側の部分の形状を計測することはできない。このため、輪郭部分よりも下側の部分を輪郭部分と同形状であるとして仮想三次元モデル１３を作成している。
【００８５】
そして、測定対象物１１と放射線検出器１２と遮蔽体１６の仮想三次元モデル１３，１４，１８を三次元モンテカルロ計算コードのフォーマットで表現し、入力ファイルを作成する（三次元モデル化）。この入力ファイルには、少なくとも測定対象物１１の形態、放射線検出器１２の形態、遮蔽体１６の形態、その他の空間の媒質の形態についてのデータが記録される。測定対象物１１の形態としては、例えば三次元形状、組成、密度等である。放射線検出器１２の形態としては、例えば三次元形状、組成、密度等である。遮蔽体１６の形態としては、例えば三次元形状、組成、密度等である。その他の空間の媒質の形態としては、例えば真空か空気が存在するか等である。
【００８６】
そして、第１のＢＧシミュレーション工程Ｓ４と同様に第２のＢＧシミュレーション工程Ｓ５でもバックグラウンドとなる仮想放射線を遮蔽体１６の仮想三次元モデル１８の内面から発生させて放射線検出器１２の前に測定対象物１１を置いた状態のシミュレーションを行い、バックグラウンド計数率Ｘ２を求める。
【００８７】
ＢＧ補正係数算出工程Ｓ６では、第１のＢＧシミュレーション工程Ｓ４で求めたバックグラウンド計数率Ｘ１と第２のＢＧシミュレーション工程Ｓ５で求めたバックグラウンド計数率Ｘ２に基づいてＢＧ補正係数を求める。放射線検出器１２の前に測定対象物１１を置いていない状態ではバックグラウンド放射線は測定対象物１１によって遮蔽されることはないが、測定対象物１１の放射能を測定するためにこの測定対象物１１を放射線検出器１２の前に置くと、バックグラウンド放射線の一部が測定対象物１１によって遮蔽される。このため、第１のＢＧシミュレーション工程Ｓ４で求めたバックグラウンド計数率Ｘ１と、第２のＢＧシミュレーション工程Ｓ５で求めたバックグラウンド計数率Ｘ２（Ｘ２＜Ｘ１）とは異なる値になる。即ち、測定上の誤差を生じる。実際の放射線測定でも、同様に測定上の誤差が生じ、シミュレーションと同じ割合でバックグラウンド計数率が変化すると考えられる。したがって、ＢＧ補正係数はＸ２／Ｘ１となる。
【００８８】
ＢＧ補正工程Ｓ７では、バックグラウンド計数率の実測値Ｘ０をＢＧ補正係数（Ｘ２／Ｘ１）を用いて補正する。シミュレーションの結果、放射線検出器１２の前に測定対象物１１が在るか無いかでバックグラウンド計数率が（Ｘ２／Ｘ１）の割合で減少することがわかり、実測値Ｘ０×ＢＧ補正係数（Ｘ２／Ｘ１）によって測定対象物１１を放射線検出器１２の前に置いた場合のバックグラウンド計数率Ｘ３が求まる。
【００８９】
次のＮＲシミュレーション工程Ｓ８では、測定対象物１１の自然放射能による放射線が放射線検出器１２に計数される現象を、コンピュータ上で実施される三次元モンテカルロ計算手法を利用してシミュレーションすることで、測定対象物１１の自然放射能によるバックグラウンドを擬似的に求めている。
【００９０】
そのため、ＮＲシミュレーション工程Ｓ８では、放射線検出器１２と測定対象物１１を三次元モンテカルロ計算コードに適したフォーマットで表現するいわゆる三次元モデル化を行う。このとき、第１のＢＧシミュレーション工程Ｓ４や第２のＢＧシミュレーション工程Ｓ５と同様に、実際の測定対象物１１と放射線検出器１２の幾何学的な位置関係と同じ位置関係で測定対象物１１の仮想三次元モデル１３と放射線検出器１２の仮想三次元モデル１４を作成する。ただし、本実施形態では、第１及び第２のＢＧシミュレーション工程Ｓ４，Ｓ５の実施によって放射線検出器１２と測定対象物１１の三次元モデル化を既に行っているので、これを利用する。なお、実施形態によっては第１及び第２のＢＧシミュレーション工程Ｓ４，Ｓ５を実施しない場合もあるので、この場合には、第１及び第２のＢＧシミュレーション工程Ｓ４，Ｓ５で行った方法と同様の方法で、三次元モデル化を行う。
【００９１】
次に、三次元モンテカルロ計算手法を利用して、測定対象物１１の自然放射能による放射線を仮想的に発生させ、発生させた放射線のうち放射線検出器１２の仮想三次元モデル１４に入射したものをカウントして計数を求める。
【００９２】
仮想的に発生させる放射線は、測定対象物１１の自然放射能による放射線を模擬して発生させる。自然放射能による放射線のうち、バックグラウンドとして影響を与える主なものはγ線である。したがって、仮想放射線として例えばγ線を発生させる。また、仮想放射線として複数のエネルギーの仮想γ線を組み合わせて使用する。複数のエネルギーの仮想γ線を組み合わせて使用することで自然放射能による放射線の再現の幅が広がり、単一エネルギーの仮想γ線では再現し難い場合であっても再現が容易になり、より実際の状況に即したシミュレーションをより行い易くなる。
【００９３】
なお、毎回の測定において、測定対象物１１の自然放射能が同じであると見なすことができる場合には、毎回のシミュレーションでは仮想放射線として同じものを使用する。この場合、測定毎に使用する仮想放射線を求め直す手間と時間を省くことができる。なお、測定対象物１１の自然放射能が同じであると見なすことができる場合としては、例えば、同産地の材料を使用したコンクリート廃棄物などである。
【００９４】
測定対象物１１の自然放射能によるバックグラウンド放射線は、放射線検出器１２や測定対象物１１の周囲の空間等を進む際、散乱されたり吸収されたり、あるいは二次的な放射線を発生させたりする。このような放射線と物質の相互作用はある確率で発生するものであり、この現象を近似して数学的なモデルで表すことができる点は上述の通りである。第１及び第２のＢＧシミュレーション工程Ｓ４，Ｓ５と同様に、ＮＲシミュレーション工程Ｓ８でも三次元モンテカルロ計算コードを使用してコンピュータ上でシミュレーションを行い、測定対象物１１の自然放射能によるバックグラウンド放射線が放射線検出器１２にどれだけ入射するか、即ち、放射線検出器１２の仮想三次元モデル１４による計数を擬似的に求める。そして、この計数値から計数率を求める。この計数率がＮＲ計数率αである。
【００９５】
ＮＲ補正工程Ｓ９では、ＢＧ補正工程Ｓ７で求めたバックグラウンド計数率Ｘ３をＮＲ計数率αを用いて補正する。測定対象物１１の自然放射能による放射線も、測定対象物１１の人工放射能を測定する際のバックグラウンドとなるので、バックグラウンド計数率Ｘ３にＮＲ計数率αを加えて合計のバックグラウンド計数率Ｘｔとする。
【００９６】
この様にして求めたバックグラウンド計数率Ｘｔは、例えば測定対象物１１の人工放射能を測定する場合に使用される。いま、測定対象物１１の放射能（自然放射能と人工放射能の合計）を放射線検出器１２で測定した場合の計数率がＡである場合には、Ａ−Ｘｔが測定対象物１１の人工放射能による放射線の正味の計数率になる。
【００９７】
このように、本発明では、シミュレーションによってＮＲ計数率αを求め、このＮＲ計数率αを利用してバックグラウンド計数率を補正するので、測定対象物１１が自然放射能を有していても、この自然放射能を考慮してバックグラウンド計数率を簡単且つ迅速に求めることができる。しかも、放射線と物質の相互作用を正確にシミュレーションすることは可能であり、実際の状態に即したＮＲ計数率αを求めることができ、測定対象物１１の自然放射能を考慮したバックグラウンド計数率を精度良く求めることができる。
【００９８】
また、本発明では、シミュレーションによってＢＧ補正係数（Ｘ２／Ｘ１）を求め、このＢＧ補正係数（Ｘ２／Ｘ１）を利用してバックグラウンド計数率を補正するので、測定対象物１１の自然放射能を考慮することに加えて、測定対象物１１による遮蔽をも考慮したバックグラウンド計数率を簡単且つ迅速に求めることができる。しかも、放射線と物質の相互作用を正確にシミュレーションすることは可能であり、実際の状態に即したＢＧ補正係数を求めることができ、測定対象物１１による遮蔽をも考慮したバックグラウンド計数率を精度良く求めることができる。
【００９９】
特に測定対象物１１の放射能が低い場合には、バックグラウンド計数率の精度（正確性）が放射能の測定結果の精度に大きく影響する。本発明では、バックグラウンド計数率を精度良く求めることができるので、測定対象物１１の放射能が低い場合にも放射能を精度良く測定することが可能になる。
【０１００】
また、放射能を精度良く測定できるので、放射能の検出限界も向上する。すなわち、測定の誤差が小さくなるので、放射線検出器１２が検出できる最も低い放射能の値の誤差も小さくなり、その分だけより低レベルの放射能の測定が可能になる。
【０１０１】
さらに、放射能の測定に放射線検出器１２や測定対象物１１を囲む遮蔽体１６を使用しているので、このことからも放射能の検出限界を向上させることができる。すなわち、遮蔽体１６を使用しているので放射能測定時のバックグラウンドの影響を減少させることができ、より低レベルの放射能の測定が可能になる。
【０１０２】
加えて、遮蔽体１６内の２箇所に放射線検出器１２を設けているので、放射線の検出効率が向上し、このことからも放射能の検出限界を向上させることができる。即ち、より低レベルの放射能の測定が可能になる。
【０１０３】
例えば原子炉の廃止措置ではコンクリート等の自然放射能を有する廃棄物が多量に発生する。この廃棄物を処分するには廃棄物の人工放射能を測定してクリアランスレベル（放射能レベルが低く放射性物質としての規制を除外できる放射能濃度区分値）を検認する必要がある。原子炉の廃止措置で発生する廃棄物の自然放射能は様々であり、自然放射能によるバックグラウンド計数は異なる。また、原子炉の廃止措置で発生する廃棄物の形状や大きさも様々であり、廃棄物毎に遮蔽するバックグラウンド放射線の線量、即ち放射線検出器によってカウントされるバックグラウンド計数は異なる。したがって、廃棄物毎にバックグラウンド計数率を求める必要がある。特に、原子炉の廃止措置で発生するコンクリート廃棄物の多くは低レベルの放射性廃棄物であるので、バックグラウンド計数率を正確に求めることは重要である。本発明では測定対象物１１の自然放射能を考慮して、また、測定対象物１１の形状や大きさ等に制約されることなくバックグラウンド計数率を簡単且つ迅速に求めることができ、しかも精度良く求めることができるので、特に原子炉の廃止措置で発生するコンクリート廃棄物等の放射能測定に適している。即ち、多量に発生する低レベルの放射性廃棄物の放射能測定を迅速に行うためには、自然放射能を考慮したバックグラウンド計数率を簡単，迅速に且つ精度良く求める技術が不可欠であり、測定対象物１１が自然放射能を有する場合であっても、本発明によって多量の低レベルの放射性廃棄物の放射能測定を正確に且つ迅速に行うことが可能になる。
【０１０４】
また、測定対象物１１が自然放射能を有していない場合であっても、バックグラウンド計数率を簡単、迅速に且つ精度良く求めることができる点は同様であり、測定対象物１１を自然放射能の有無によって区別することなくバックグラウンド計数率を求めることができる。したがって、例えばコンクリート廃棄物のように自然放射能を有する放射性廃棄物と、例えば金属廃棄物のように自然放射能を有していない放射性廃棄物とが混在している場合にも、本発明を適用することができる。このため、原子炉廃止措置時に大量に発生する解体金属／コンクリート廃棄物を放射能レベルに応じて区分評価することが迅速かつ合理的に可能になる。
【０１０５】
また、測定対象物１１の仮想三次元モデル１３を作成する場合、たとえ測定対象物１１がパイプ等の中空品であっても中実品として仮想三次元モデル１３を作成しているので、測定対象物１１の形状計測としてその表面形状（外側の形状）を計測すれば足り、煩雑な形状計測となる内面形状の計測を行う必要がないので、簡単且つ迅速に仮想三次元モデル１３を作成することができる。しかも、この様に仮想三次元モデル１３を簡単且つ迅速に作成できるにもかかわらず、仮想三次元モデル１３の密度として見掛け密度（Ｗ／Ｖ）を使用しているので、たとえ測定対象物１１が中空品であっても、仮想放射線に対して中実品と同様に取り扱うことが可能になり、シミュレーションを正確に行うことができる。
【０１０６】
また、第１及び第２のＢＧシミュレーション工程Ｓ４，Ｓ５では、バックグラウンドとなる仮想放射線を遮蔽体１６の三次元モデル１８の内側から発生させるようにし、遮蔽体１６を透過したバックグラウンド放射線をシミュレーションするようにしているので、遮蔽体１６の外側のバックグラウンド放射線が遮蔽体１６を透過する過程をシミュレーションする必要がなく、しかも遮蔽体１６を透過できずに途中で消滅したバックグラウンド放射線をシミュレーションする必要もなく、処理に要する時間を大幅に減少させることができる。
【０１０７】
なお、第１及び第２のＢＧシミュレーション工程Ｓ４，Ｓ５で使用する仮想γ線の組み合わせの求め方は、例えば次の通りである。即ち、発生させる仮想γ線の組み合わせを変えながら減衰傾向測定工程Ｓ１を模擬したシミュレーションを繰り返し行い、減衰傾向測定工程Ｓ１で求めた減衰傾向に合う減衰傾向、即ち、同じ又は許容できる程度に近い減衰傾向となる仮想γ線の組み合わせを探し、仮想γ線の組み合わせの最適化を行う。
【０１０８】
つまり、減衰傾向測定工程Ｓ１で放射線検出器１２の前に金属板１７を配置した状態（図５（Ａ））を仮想的に再現する三次元モデル３３、即ち、図４（Ｂ）の仮想三次元モデル３２に金属板１７の仮想三次元モデル１９を配置した仮想三次元モデル３３を作成する（図５（Ｂ））。そして、減衰傾向測定工程Ｓ１における実際の測定と同様に、金属板１７の仮想三次元モデル１９の厚さを変化させながら、仮想三次元モデル３３を使用し任意のエネルギーの仮想γ線を任意の組み合わせで発生させてシミュレーションを行う。そして、バックグラウンド計数率の低減割合を計算し、金属板１７（遮蔽）の厚みとバックグラウンド計数率の低減割合との変化の関係、即ちバックグラウンド放射線の減衰傾向を求める。なお、この場合の低減割合は数式２によって求めることができる。この低減割合は、ＢＧ補正係数（Ｘ２／Ｘ１）に相当する値である。
【０１０９】
［数２］
低減割合＝金属板１７を配置した状態をシミュレーションして求めたバックグラウンド計数率÷金属板１７を配置していない状態をシミュレーションして求めたバックグラウンド計数率
【０１１０】
そして、発生させる仮想γ線のエネルギーの大きさとその組み合わせを様々に変化させながらシミュレーションを繰り返し行って減衰傾向を求め、求めた減衰傾向が減衰傾向測定工程Ｓ１で求めた減衰傾向に合う傾向、即ち、同じ又許容できる程度に近い傾向となるような仮想γ線の組み合わせを見つける。例えば、図６に△印で示すような減衰傾向となる仮想γ線の組み合わせをシミュレーションによって見つける。
【０１１１】
なお、仮想γ線の組み合わせとして、２種類のエネルギーの仮想γ線を組み合わせることが好ましい。２種類のエネルギーの仮想γ線の組み合わせを変えることでバックグラウンド放射線の減衰傾向を比較的自由に変化させることができ、測定場所の実際のバックグラウンド放射線の減衰傾向にあった減衰傾向となる仮想γ線の組み合わせを比較的容易に見つけることができるからである。また、３種類以上のエネルギーの仮想γ線の組み合わせを使用しても良いが、シミュレーションの計算量は仮想γ線の種類の増加に応じて増加するので、仮想γ線のエネルギーの種類は少ない方が好ましい。これらにより、２種類のエネルギーの仮想γ線の使用が最も好ましい。ただし、３種類以上のエネルギーの仮想γ線を使用しても良い。また、仮想放射線として、組み合わせではなく単色の仮想γ線を使用しても良い。
【０１１２】
また、仮想γ線の組み合わせとして、エネルギーの大きさが異なる仮想γ線の発生数の割合を変えるようにしても良い。この場合にも、バックグラウンド放射線の減衰傾向を比較的自由に変化させることができる。
【０１１３】
また、ＮＲシミュレーション工程Ｓ８で使用する仮想γ線の求め方は、例えば次の通りである。測定対象物１１の放射能を例えばゲルマニウム半導体検出器を使用して予め計測しておく。ゲルマニウム半導体検出器はエネルギー分解能に優れているので、核種別に放射線を検出することができ、自然放射能による放射線と人工放射能による放射線を区別して検出することができることは勿論、自然放射能による放射線としてどのような放射線が発生しているかも検出できる。この検出結果に基づき、ＮＲシミュレーション工程Ｓ８では、自然放射能による放射線を再現するように仮想γ線を発生させる。ここで、実際に発生する自然放射能による放射線のうち、発生確率の比較的高い主な数種類の放射線を代表として再現するよう仮想γ線を発生させるようにしても良いし、あるいは、自然放射能による放射線を全体として評価し、その放射能レベルに応じた発生頻度で仮想γ線を発生させるようにしても良い。また、同じ場所から発生したコンクリート廃棄物であって人工放射能を有していないことが確認されているものの自然放射能レベルを評価し、その放射能濃度レベルに応じた発生頻度で測定対象物１１内から仮想放射線を発生させるようにしても良い。さらに、別の方法としては、測定対象物１１としてのコンクリート廃棄物がどこの産地の材料のコンクリートを使用しているか等を特定できる場合には、同じ産地であれば自然放射能も同じであると考えられるので、その産地を基に自然放射能を推測し、使用する仮想放射線を決定しても良い。
【０１１４】
なお、上述の形態は本発明の好適な形態の一例ではあるがこれに限定されるものではなく本発明の要旨を逸脱しない範囲において種々変形実施可能である。例えば、上述の説明では、測定対象物１１の仮想三次元モデル１３を作成する場合に測定対象物１１の表面形状のみを測定し、たとえ測定対象物１１が中空品であっても中実品として仮想三次元モデル１３を作成していたが、測定対象物１１の表面形状に加えて内側形状も測定し、測定対象物１１が中空品である場合には中空品として仮想三次元モデル１３を作成するようにしても良い。
【０１１５】
また、上述の説明では、測定対象物１１の仮想三次元モデル１３を作成する場合に仮想三次元モデル１３の密度として見掛け密度を使用していたが、必ずしも見掛け密度を使用しなくても良いことは勿論である。
【０１１６】
また、上述の説明では、第１及び第２のＢＧシミュレーション工程Ｓ４，Ｓ５において、仮想放射線として複数、例えば２種類のエネルギーの仮想γ線を組み合わせて使用していたが、組み合わせるエネルギーの数としては２種類に限るものではなく、３種類以上であっても良い。また、仮想放射線として単色の仮想γ線を使用しても良い。さらに、放射線の種類としてはγ線に限るものではなく、γ線以外の放射線を使用しても良く、γ線とγ線以外の放射線を組み合わせて使用しても良い。
【０１１７】
また、上述の説明では、ＮＲシミュレーション工程Ｓ８において、仮想放射線として複数の仮想γ線を組み合わせて使用していたが、仮想放射線として単色の仮想γ線を使用しても良い。また、放射線の種類としてはγ線に限るものではなく、γ線以外の放射線を使用しても良く、γ線とγ線以外の放射線を組み合わせて使用しても良い。
【０１１８】
さらに、第１及び第２のＢＧシミュレーション工程Ｓ４，Ｓ５で使用する仮想γ線を予め決定している場合等には減衰傾向測定工程Ｓ１を省略しても良く、この場合には、その分だけ処理に要する時間を短縮することができる。
【０１１９】
また、上述の説明では、遮蔽体１６内の上下２箇所に放射線検出器１２を配置していたが、必ずしも上下２箇所に放射線検出器１２を配置する必要はなく、上下のいずれか一方にのみ放射線検出器１２を配置するようにしても良い。また、放射線検出器１２を配置する位置は上（天井面）や下（床面）に限るものではなく、遮蔽体１６内の側面等に配置しても良い。さらに、放射線検出器１２を３箇所以上に配置しても良い。
【０１２０】
また、上述の説明では、第１及び第２のＢＧシミュレーション工程Ｓ４，Ｓ５において、遮蔽体１６の仮想三次元モデル１８の内側からバックグラウンドとなる仮想放射線を発生させてシミュレーションを行っていたが、遮蔽体１６の仮想三次元モデル１８の外側からバックグラウンドとなる仮想放射線を発生させても良い。この場合、図７（Ａ），（Ｂ）に示すように、遮蔽体１６の周囲に球殻１５を想定し、この球殻１５から仮想放射線を発生させるようにすることが好ましい。
【０１２１】
また、上述の説明では、測定誤差補正過程Ａ即ち第１のＢＧシミュレーション工程Ｓ４、第２のＢＧシミュレーション工程Ｓ５、ＢＧ補正係数算出工程Ｓ６、ＢＧ補正工程Ｓ７を実施していたが、例えば図８に示すように、測定誤差補正過程Ａを省略しても良い。即ち、第９図に示すように測定装置を構成しても良い。測定誤差補正過程Ａを省略する場合には、減衰傾向測定工程Ｓ１も省略する。また、ＮＲ補正工程Ｓ９では、バックグラウンド計数率の実測値Ｘ０にＮＲ計数率αを加えてバックグラウンド計数率Ｘｔとする。この場合にも、測定対象物１１の自然放射能を考慮してバックグラウンド計数率を簡単、迅速に且つ精度良く求めることができる。
【図面の簡単な説明】
【０１２２】
【図１】本発明のバックグラウンド計数率の推定方法の実施形態の一例を示すフローチャートである。
【図２】本発明のバックグラウンド計数率の測定装置の実施形態の一例を示す概略構成図である。
【図３】放射線検出器と測定対象物の位置関係を示す概念図で、（Ａ）は実際の幾何学的位置関係を示す概念図、（Ｂ）は仮想的に３次元モデル化した位置関係を示す概念図である。
【図４】放射線検出器を示す概念図で、（Ａ）は実際の様子を示す概念図、（Ｂ）は仮想的に３次元モデル化した様子を示す概念図である。
【図５】バックグラウンド放射線の遮蔽に対する減衰傾向を求める概念図で、（Ａ）は実際の様子を示す概念図、（Ｂ）は仮想的に三次元モデル化した様子を示す概念図である。
【図６】バックグラウンド放射線の遮蔽に対する減衰傾向の測定値と計算値の比較を示すグラフである。
【図７】本発明のバックグラウンド計数率の推定方法の他の実施形態を示し、（Ａ）は測定対象物がある場合の仮想三次元モデルの概念図、（Ｂ）は測定対象物が無い場合の仮想三次元モデルの概念図である。
【図８】本発明のバックグラウンド計数率の推定方法の更に他の実施形態を示すフローチャートである。
【図９】図８の推定方法を実施するバックグラウンド計数率の測定装置を示す概略構成図である。
【符号の説明】
【０１２３】
１１  測定対象物
１２  放射線検出器
１３  測定対象物の仮想三次元モデル
１４  放射線検出器の仮想三次元モデル
１６  遮蔽体
２０  三次元モデル化手段
２１  ＢＧシミュレーション手段
２２  ＢＧ補正係数算出手段
２３  ＢＧ補正手段
３４  ＮＲシミュレーション手段
３５  ＮＲ補正手段
Ｓ１  減衰傾向測定工程
Ｓ２  重量計測工程
Ｓ３  実測工程
Ｓ４  第１のＢＧシミュレーション工程
Ｓ５  第２のＢＧシミュレーション工程
Ｓ６  ＢＧ補正係数算出工程
Ｓ７  ＢＧ補正工程
Ｓ８  ＮＲシミュレーション工程
Ｓ９  ＮＲ補正工程
Ａ  測定誤差補正過程
【図１】
2005140566.tif 000003
【図２】
2005140566.tif 000004
【図３】
2005140566.tif 000005
【図４】
2005140566.tif 000006
【図５】
2005140566.tif 000007
【図６】
2005140566.tif 000008
【図７】
2005140566.tif 000009
【図８】
2005140566.tif 000010
【図９】
2005140566.tif 000011